(57)【要約】  固体を処理する能力を有すると共に、極めて多様であり得るガスを受容し、それを有用な品質に正規化し、さらにガス自体からのエネルギを利用して動作温度を確実に上昇させ、良好な混合と高度な変換を確実にする能力を有する反応器。
2019523812.tif 000002
【特許請求の範囲】
【請求項１】
炭素質材料のガス化によりシンガスを処理するための平衡接近反応器であって、
容器と、
処理材料が前記容器に流入することを可能にするように動作可能な入口と、
処理済材料が前記容器から流出することを可能にするように動作可能な出口と、を備え、
処理材料が平衡に接近するのを可能にするのに十分な時間にわたって処理材料が前記容器内に保持される、平衡接近反応器。
【請求項２】
１１００℃超で動作するように構成される、請求項１に記載の平衡接近反応器。
【請求項３】
前記処理材料が灰分を含み、動作温度が前記灰分の溶融温度よりも低く維持される、請求項２に記載の平衡接近反応器。
【請求項４】
前記容器内の圧力が大気圧より高い圧力に保たれる、請求項１から３のいずれか一項に記載の平衡接近反応器。
【請求項５】
前記圧力が０．５〜１２バール（ｇ）である、請求項４に記載の平衡接近反応器。
【請求項６】
前記処理材料が少なくとも１０秒間前記反応器内に保持される、請求項１から５のいずれか一項に記載の平衡接近反応器。
【請求項７】
前記入口が熱交換器を含む、請求項１から６のいずれか一項に記載の平衡接近反応器。
【請求項８】
前記熱交換器が炭化ケイ素から構成される、請求項７に記載の平衡接近反応器。
【請求項９】
前記容器内に酸素を注入するように動作可能な酸素注入システムをさらに備える、請求項１から８のいずれか一項に記載の平衡接近反応器。
【請求項１０】
シンガスを処理するように動作可能な容器と、
加圧された未処理シンガスを前記容器に導入する手段と、
一定の割合の前記シンガスの自己着火を生じさせて、前記容器内の温度を上昇させることで、前記シンガスが化学平衡に接近するために十分な滞留時間にわたって前記シンガスが前記容器内に保持されるように、前記容器内に酸素を注入するように動作可能な酸素注入システムと、を備える平衡反応器システム。
【請求項１１】
１０５０℃から１２００℃の間で動作するように構成される、請求項１０に記載の平衡反応器システム。
【請求項１２】
前記滞留時間が少なくとも１５秒である、請求項１０又は１１に記載の平衡反応器システム。
【請求項１３】
前記容器が、上部と下部を含み、少なくとも前記上部と比較して縮径された領域によって前記上部と下部が接続される、請求項１０から１２のいずれか一項に記載の平衡反応器システム。
【請求項１４】
平衡接近反応器を動作させる方法であって、
ａ．処理材料を収容するように動作可能な容器を準備するステップと、
ｂ．処理材料を前記容器に導入するステップと、
ｃ．前記処理材料が実質的に平衡に接近するまで前記処理材料を前記容器内に保持するステップを含む方法。
【請求項１５】
前記反応器が１１００℃超で動作される、請求項１４に記載の方法。
【請求項１６】
前記反応器が大気圧より高い圧力で動作される、請求項１４又は１５に記載の方法。
【請求項１７】
前記反応器が複数の動作モードを含む、請求項１４から１６のいずれか一項に記載の方法。
【請求項１８】
主軸を有する容器を備える反応器であって、
処理ガスの前記反応器への投入を許容するように動作可能な少なくとも１つの処理ガス投入点と、酸素の前記容器への注入を許容する少なくとも３つの酸素注入ノズルとをさらに備え、前記投入点及び前記注入ノズルは前記主軸に対して前記容器の周囲にらせん状に配置される、反応器。
【請求項１９】
前記処理ガス投入点が実質的に前記容器の第１の端部にあり、前記酸素注入ノズルが前記容器の第２の端部に向かってらせん経路に沿って離間している、請求項１８に記載の反応器。
【請求項２０】
前記処理ガス及び前記酸素が、乱流を促進するように前記容器に投入されることができる、請求項１８又は１９に記載の反応器。
【請求項２１】
前記処理ガス及び酸素が、化学平衡に接近するような時間にわたって前記容器内に保持される、請求項２０に記載の反応器。
【請求項２２】
前記酸素注入ノズルが、さらなる媒体の同時注入を可能にするための手段を備える、請求項１８から２１のいずれか一項に記載の反応器。
【請求項２３】
第１のチャンバと、
第２のチャンバと、
前記第１のチャンバと第２チャンバとの間の接続部と、
流体を混合させ、反応させて、乱流を形成するように前記第１のチャンバに複数の前記流体を注入する手段と、を備え、
前記接続部は、前記第２のチャンバ内への急速な膨張を生じさせることによって乱流を解くように作用可能である反応器。
【請求項２４】
前記複数の流体が、シンガスと酸素とを含む、請求項２３に記載の反応器。
【請求項２５】
前記酸素と前記シンガスとが反応して前記シンガスの部分酸化を引き起こして温度上昇を生じさせる、請求項２４に記載の反応器。
【請求項２６】
前記接続部が、前記第１及び第２のチャンバに対して断面積が縮小した領域を含む、請求項２３から２５のいずれか一項に記載の反応器。
【請求項２７】
前記第２のチャンバがシンガス出口を備える、請求項２４から２６のいずれか一項に記載の反応器。
【請求項２８】
個体汚染物質を受容するように作用可能な第３のチャンバをさらに備える、請求項２３から２７のいずれか一項に記載の反応器。
【請求項２９】
前記第３のチャンバは、蒸気注入点を含む、請求項２８に記載の反応器。
【請求項３０】
化学平衡が実質的に達成されるまで前記シンガスが第１のチャンバ内に保持される、請求項２５に記載の反応器。
【請求項３１】
請求項１８から２２のいずれか一項の特徴をさらに備える請求項２３から３０のいずれか一項に記載の反応器。
【発明の詳細な説明】
【技術分野】
【０００１】
本発明は平衡接近反応器に関し、さらに発電及び化学合成用に利用可能な安定した高品質エネルギ化学ガス製品を製造するための装置、及びその動作方法に関する。
【背景技術】
【０００２】
多くの技術的及び工業的な分野で再利用及び燃料効率化に向けた流れがある。そのような分野の１つは、廃棄物からエネルギのある化学ベクトル（chemical vector／化学誘導物）を回収することに向けられている。そのようなガスは発電で使用可能であり、典型的には可燃燃料として使用される。
【０００３】
そのようなガスの１つは合成ガス又はシンガスと称される。主成分として水素、一酸化炭素及び二酸化炭素を含むガスは、一般にシンガスと称される。様々な工業プロセス（工業処理）は、原料としてシンガスを必要とする。これらのプロセスは、メタノール、軽油、及びアンモニアなどの生成物の化学合成、並びに主エネルギとしてシンガスを利用する発電プロセスを含む。現在、後者の用途への関心は、資源の有効利用に対する需要、及び低炭素技術への流れから生じたバイオマス及び廃棄物燃料のガス化プロセスの出現と共にますます広まっている。
【０００４】
周知のプロセスは、一般に、高度に多様な度合いで水素などの永久ガスを含むガスを生成し、また汚染成分を含むことが多い。これらは通常、広範な分子量の炭化水素と、煤塵や灰系成分などの個体との混合物からなっている。
【０００５】
バイオマス及び廃棄物ガス化プロセスでは、製品ガスはガス化装置又は熱分解ユニットと称される装置によって生成される。廃棄物の組成は高度に多様（可変）であり得るため、ガス化により生成されるガス組成物の多様性（可変性）が高い。ガス化はまた、不要な副産物として多様でかつ相当なレベルの煤塵及び炭化水素汚染物質を生成する。
【０００６】
」
バイオマス及び廃棄物ガス化から生じるさらに別の汚染物質は、従来の酸系洗浄を使用して除去することが困難なアンモニアである。そのような汚染物質並びにその変化物を含むシンガス、は、燃料としてシンガスを使用する下流側の装置に悪影響を及ぼすことがある。そのような再生燃料源を使用する商業的成功に少なくとも部分的に影響するのはこれらの問題である。
【０００７】
周知のプロセスはフィッシャー・トロプシュ法である。この構成は、広範な分子量を有する不要な成分（通常は、所望の生成物の分子量のものが中心である）を生成する。不要な生成物は、一般に焼却（フレアリング）により、又は後続のプロセスを使用してさらに変換することにより処分される。その結果、さらなる残滓が生じ、これらはさらに使用するにはあまりに多様で汚染されているため、通常、フレアリングされる。
【発明の概要】
【発明が解決しようとする課題】
【０００８】
より効率的に純粋なシンガスを生成することが有利であろう。本発明は、上記問題を解決するために考案された。
【課題を解決するための手段】
【０００９】
一般に、シンガスは廃棄物固形燃料（ＲＤＦ）及び解体グレードバイオマス、並びに農業バイオマス及び畜産排出物などの低品位原料から調製される。
【００１０】
本発明は、炭素質材料のガス化、及び化学原料としてシンガスを利用する化学合成プロセスから得られる材料を処理するための平衡接近反応器に関する。反応器は、組成に関して多様性が極めて高く、通常のプロセス温度で凝縮可能であり、かつ炭素又は灰分の形態の固体を含む投入ガスを、安定化され、かつ化学原料として有用な処理済みのシンガスに変換する。
【００１１】
本発明の第１の態様によれば、
容器と、
処理材料（処理用材料）が容器に流入することを可能にするように動作可能な入口と、
処理済材料が容器から流出することを可能にするように動作可能な出口と、
を備え、
処理材料が平衡に接近（アプローチ／approach）することを可能にする十分な時間にわたって容器内に保持される、炭素質材料のガス化から得られる材料を処理するための平衡接近反応器が提供される。
【００１２】
本構成は、エネルギ効率がよく、かつ固体汚染物質が確実に管理され得る態様で化学平衡に接近することを可能にする処理（プロセス）条件に投入ガスをさらすことによって、既存の処理に関する問題を軽減する。したがって、安定した、汚染されていないシンガスがさらなる使用のために生成される。
【００１３】
したがって、シンガスは、低品質原料から製造することができ、安定した発電を含む多くの用途に利用され、これまで廃棄されてきたプロセスからの生成物を回収し、再使用することを可能にし、処理の効率を高める。
【００１４】
反応器の機能は、流入する原料ガスが部分的に酸化されて、その温度を１０５０〜１２５０℃に上昇させ得る環境を提供することである。しかし、好ましい構成では、反応器は１１００℃超で作動するように構成される。最も好ましくは、シンガスは１１５０℃に加熱される。好ましい構成では、特に処理材料が原料に灰分を含む場合、反応器の動作温度は原料の灰分の溶融温度より低く保たれる。
【００１５】
好ましくは、容器内の圧力は大気圧より高い圧力に保たれる。より好ましくは、圧力は５０ｋＰａ（ｇ）〜１２００ｋＰａ（ｇ）（０．５〜１２バール（ｇ））である。容器内の圧力は、少なくとも部分的には、未処理シンガスをより高い圧力で容器内に入れることによって達成され得る。シンガスは、任意の従来の手段によって高圧で容器内に直接供給され得る。
【００１６】
シンガスが反応器内に保持される時間は、ドエル時間又は滞留時間と称される。好ましい構成では、処理材料は少なくとも１０秒間反応器内に保持されるが、より好ましくは、ドエル時間は少なくとも１５秒間である。反応器の設計、高温及び加圧された原料シンガスの投入は全て、滞留時間の改善に役立つ。従来のドエル時間よりも長いと、反応器内に含まれる材料が化学平衡を達成することが可能になる。
【００１７】
したがって、１つの構成では、シンガスは、加圧された反応器内でそのごく一部を燃焼させることによって約１１５０℃に加熱される。その結果、少なくとも１０秒の滞留時間がもたらされ、これは原料の処理材料が平衡に接近するように反応するのに十分な時間である。
【００１８】
平衡への接近を可能にすることは、シンガス組成を正規化（平準化）することと共に、処理材料中の全ての有機汚染物質及びタールを破壊する効果を有する。したがって、有利には、原料の種類にかかわらず、ガスの組成はほぼ同様になる。これは、低品位（かつ潜在的に高多様性の）原料にとって特に有利である。
【００１９】
好ましくは、入口は熱交換器を含み、より好ましくは炭化ケイ素から構成される熱交換器を含む。この構成は、反応器から流出する処理済シンガスが、流入する原料シンガスに熱を提供することを可能にするために使用され得る。したがって、未処理シンガスは予熱される。好ましい構成では、未処理シンガスは、チャンバに入る前に約７００℃から９００℃に加熱される。原料シンガスを予熱するために熱交換器を使用すると、酸素注入システムによって点火されるのに必要なシンガスがより少なくて済む。
【００２０】
加えて、平衡接近反応器は、容器内に酸素を注入するように動作可能な酸素注入システムを含み得る。酸素はシンガスの一部と反応し、それが容器内の温度を上昇させる。
【００２１】
好ましい構成では、酸素注入システムは複数のノズルを含む。より好ましい構成では、システムは少なくとも３つのノズルを含む。ノズルは、それらがらせん経路上に配置されるように反応器上に配置され得る。
【００２２】
投入シンガス流を高圧で供給し、そして酸素注入システムを使用して容器内部の温度を上昇させることによって、容器内部の圧力は大気圧より高いレベルに維持され得る。投入圧力及び／又は注入された酸素のレベルを制御することによって、圧力が制御され得る。
【００２３】
好ましくは、シンガス及び酸素は、反応器内の乱流を促進するように反応器に注入される。
【００２４】
より高い圧力で容器を保持することは、容器内の材料の滞留時間（ドエル時間とも呼ばれる）を増加させる。この構成は大気圧又は準大気圧で機能され得るが、同じドエル時間のためには、容器は加圧容器よりも相対的に大きい必要がある。しかし、この構成も本文献の範囲内にあると考えられることを理解されたい。
【００２５】
本発明の第２の態様によれば、シンガスを処理するように動作可能な容器と、加圧された未処理のシンガスを容器に導入する手段と、シンガスが化学平衡に達するのに十分なドエル時間にわたって容器内に保持されるように、容器内の温度を上昇させるためにシンガスの一部の自己着火を引き起こすために、容器内に酸素を注入するように動作可能な酸素注入システムと、を備える平衡接近反応器システムが提供される。
【００２６】
シンガスのための所望の滞留時間を確保するために、容器内で圧力と温度との組み合わせが使用される。好ましい実施形態では、これは少なくとも１０秒であり、より好ましい実施形態では少なくとも１５秒である。
【００２７】
酸素が容器内に導入され、容器内のシンガスと反応させて容器内の温度を少なくとも１１００℃に上昇させることが好ましく、１１５０℃がより好ましい。特に好ましい構成では、水蒸気と酸素とが組み合わせて投入される。
【００２８】
好ましくは、システムは熱交換器、より具体的には並流熱交換器を含む。好ましい実施形態では、処理済シンガス及び未処理シンガスは、同時ではあるが独立して別個に熱交換器を通過されることで、処理済シンガスが使用されて未処理シンガスを加熱する。この配置のさらなる利点は、処理済シンガスが原料シンガスによって冷却されることである。
【００２９】
システムが蒸気を容器内に注入するための手段を含むことがさらに好ましい。これは酸素注入システムを用いて達成され得る。
【００３０】
好ましくは、酸素注入システムはセラミックランセット又は管を含む。代替的には、ランセット又は管は、耐熱合金から構成されたノズルを含み得る。
【００３１】
好ましい構成では、酸素注入システムは複数の注入点を含む。システムが少なくとも３つの注入点を含むことがより好ましい。
【００３２】
好ましい構成では、平衡接近反応器システムは、研磨媒体と収着剤媒体の一方又は両方を容器に注入するように動作可能な手段を含む。この手段は分離しても組み合わせてもよく、さらに酸素注入システムと組み合わせてもよい。
【００３３】
システムは排出システムを含むことが好ましい。好ましい構成では、このシステムは容器の底部に配置される。排出システムは、固形物を受容するように動作可能な砂浴を含み得る。システムは、冷却された排出スクリューを用いた段階的除去を利用し得る。
【００３４】
本発明の第３の態様によれば、処理材料を収容するように動作可能な容器を提供するステップと、前記容器に処理材料を導入するステップと、前記処理材料が実質的に平衡に接近するまで前記容器内に処理材料を保持するステップと、を含む平衡接近反応器の動作方法が提供される。
【００３５】
平衡接近反応器は複数のモードで動作され得ることが好ましい。一方のモードは実質的に乾燥状態の固体の除去／処理に役立ち、第２のモードは実質的に溶融状態の固体を除去することが好ましい。
【００３６】
本発明の第４の態様によれば、一次軸を有する容器を含む反応器が提供され、前記反応器はさらに、処理ガスが反応器に投入でされ得るように動作可能な少なくとも１つの処理ガス投入点と、酸素が容器に注入されることを可能にする少なくとも３つの酸素注入ノズルとを含み、投入点及び注入ノズルは主軸に関して容器の周囲に配置される。ノズルはらせん経路に沿って配置されることが好ましい。
【００３７】
好ましくは、処理ガス投入点は実質的に容器の第１の端部にあり、酸素注入ノズルはらせん経路に沿って容器の第２の端部に向かって離間している。
【００３８】
好ましい構成では、処理ガス及び酸素は、乱流を促進するために容器内に投入されるように動作可能である。処理ガスと酸素は互いに反応して、処理ガスの部分酸化を引き起こす。これは容器内の温度を上昇させる効果がある。上昇した温度及び乱流は、容器内に処理ガスを長時間にわたって保持するのに役立つ。さらに、ノズルのらせん状構成は、それがバルクガスの放射加熱を促進するように配置される。
【００３９】
好ましくは、処理ガス及び酸素は、それらが化学平衡に接近するような時間にわたって容器内に保持される。
【００４０】
好ましくは、酸素注入ノズルは、さらなる媒体の同時注入を可能にするための手段を含む。例えば、蒸気が容器内に注入され得る。追加、又は代替そして、固体媒体が容器内に向けられ得る。これらは、収着剤又は研磨媒体又は化学触媒を含み得る。
【００４１】
第４の態様に関して開示された特徴は、第１及び第２の態様と相補的であるように設計されており、したがってそれらに対する好ましい特徴と見なされるべきである。
【００４２】
本発明の第５の態様によれば、第１のチャンバと第２のチャンバと、前記第１のチャンバと第２のチャンバ間の接続部と、流体を混合させて反応させて乱流を形成させるように前記第１のチャンバに複数の前記流体を注入する手段を含み、前記接続部は、第２のチャンバ内への急速な膨張を可能にすることによって乱流が解かれる（disengage turbulent flow／乱流を解消する／乱流が離脱する）ように動作可能な反応器を提供する。
【００４３】
この構成はシンガス内に含まれる固体を処理するのに特に有利である。接続部で乱流が離脱すると、シンガスが急速に膨張し、ガスの速度が低下する。これにより、固形物がシンガスから離脱し、第２のチャンバの底部に落下する。
【００４４】
好ましくは、複数の流体はシンガスと酸素とを含み、双方の間の反応はシンガスの部分酸化を引き起こし、第１のチャンバ内の温度を上昇させる。
【００４５】
好ましくは、接続部は、第１及び第２のチャンバよりも断面積が縮小された領域を含む。一般的な構成では、接続部は、第１のチャンバと第２のチャンバ間の縮径頸部と見なされ得る。
【００４６】
好ましくは、第２のチャンバはシンガス出口を含む。好ましい構成では、シンガス出口は、反応器の使用中は、第１及び第２のチャンバに対して上方に傾斜している。
【００４７】
反応器は、固体汚染物質を受容するように動作可能な第３のチャンバをさらに含むことが好ましい。シンガスから分離された固体は通常、第２のチャンバの底部に落下する。さらに別のチャンバを提供することによって、固体が収集され得る。第３のチャンバは、固体汚染物質を除去するように動作可能な排出システムの一部であり得る。
【００４８】
第３のチャンバは蒸気注入点を含み得る。この構成は、第３のチャンバ内の炭素含有固体間の反応を水蒸気と反応させて水素、一酸化炭素及び二酸化炭素を生成することを可能にするという点で特に有利である。
【００４９】
記載された様々な態様における特徴は互いに組み合わされ得ることを理解されよう。例えば、第１、第２、第４、及び第５の態様の特徴が組み合わされてもよく、集合的に又は個別に第３の方法の態様と併せて使用されてもよい。
【００５０】
したがって、本発明の一態様は、接続部によって接続された第１及び第２のチャンバを有する容器と、第１のチャンバにシンガスを投入するように動作可能なシンガス投入点（入力）と、処理済シンガスが第２のチャンバから流出できるように動作可能なシンガス放出点（出力点）とを備え、前記第１のチャンバは、シンガス投入点と共に、前記第１チャンバの周囲にらせん経路を画定する３つの酸素注入ノズルを含み、使用時に、少なくとも第１チャンバの圧力と温度は、そこに収容されるシンガスが化学平衡に接近するのに十分な時間にわたって保持されるような圧力と温度である、平衡接近反応器を備えている。
【００５１】
本発明をより容易に理解するために、ここで添付の図面を参照してその特定の実施形態が説明される。
【図面の簡単な説明】
【００５２】
理解を容易にするために、図は本発明による平衡接近反応器の個々の態様を示すことを理解されたい。１つの図に示されている特徴が、別の図に示されている構成に存在することがある。
【図１ａ】一実施形態による平衡反応器の側面図である。
【図１ｂ】図１ａの平衡反応器の正面図である。
【図２】反応器の実施例、投入及び放出原料、並びに熱交換器の実施例を示す図である。
【図３ａ】二次床フィードシステム（二次床供給システム）を特に参照して平衡接近反応器の実施例を示す図である。
【図３ｂ】図３ａのＳＢＦシステムのダクト内注入点の拡大図である。
【図４】一実施形態による反応器の平面視断面図である。
【発明を実施するための形態】
【００５３】
本発明の実施形態は、投入材料を化学平衡にする傾向にさせる処理条件にその材料をさらすことによって既存の処理に固有の問題を解決する平衡接近反応器（以下、「反応器」と称する）を含む。本構成は、エネルギ効率が高く、かつ投入材料中の固体汚染物質を確実に管理し得る方法でこれが達成されるという点で特に有利である。反応器は、さらなる使用のために安定した、汚染されていないシンガスを生成する。したがって、反応器は、低品位の原料からのシンガスを安定した発電に利用することを可能にし、そうしないと無駄になる処理からの生成物を回収し、かつ再使用することを可能にし、処理効率を高める。
【００５４】
工業処理は一般に原料として投入材料を必要とする。水素、一酸化炭素及び二酸化炭素を主成分として含むガスはシンガスと称されることがある。反応器に導入されるシンガスは、原料シンガス、又は未処理シンガスと称されることがある。反応器を通過したシンガスは、処理済又は被処理シンガスと称されることがある。
【００５５】
メタン又は他の炭化水素をシンガスに変換するように操作可能な従来の反応器は、さまざまな状態の固体を処理することができない。そうしようとすると、固体の溶解が避けられない。結果として、これは、汚損、閉塞及び／又は設備の故障（ひいては反応器の停止時間）を招く可能性がある。加えて、反応器中のシンガスの滞留時間が短すぎるので、一般的な方法は高レベルの煤塵生成をもたらす。既知の構成における欠点に対処するために、本構成はシンガスの温度を上昇させ、制御された態様で所定の期間にわたって高温でそれを保持する。このシステムは、炭化水素の分解及び固体汚染物（及び特に飛灰）の放出を得るために必要な滞留時間と温度との組み合わせを提供するための容器と、制御された態様で酸化を開始するために容器に酸素を供給するための手段、及び容器から堆積した粒子状物質を除去する手段を備えている。これらの要素は以下で検討される。
【００５６】
図１ａ及び図１ｂを参照すると、一実施形態では、反応器１０は、耐火物でライニングされた容器からなるチャンバ１２を備える。チャンバ１２は円筒形でもよいが、任意の適切な寸法（形状）で十分であろう。耐火性ライニングは、高い炭化ケイ素含有量のるアルミナ系ライニングを含み得る。これは、アルカリ浸透、剥離及び熱衝撃に対する耐性をもたらす。
【００５７】
一貫したシンガスを生成するように最適化されたシステムでは、低すぎるチャンバ１２内の動作温度は、炭化水素を十分に改質しない一方、高すぎる温度は、大きなエネルギ損失、及び全体的効率の損失をもたらす。したがって、反応器は約１１００℃〜１２００℃、より好ましくは１１５０℃で動作されることが好ましい。
【００５８】
原料シンガスのチャンバ１２への投入を可能にするシンガス投入点１４がさらに設けられる。この構成は、チャンバ１２からの被処理シンガスの放出を可能にするシンガス放出点１６をさらに含む。シンガス放出点は通常、チャンバ１２に対して上方に傾斜している。チャンバ１２内のシンガスは高められた圧力で処理されることが好ましい。これは通常５０ｋＰａ〜１２００ｋＰａである。しかし、反応器及び／又はシステムの仕様に応じて、他の圧力が使用され得る。補助するために、シンガスは高圧でチャンバ１２に投入されてもよい。
【００５９】
チャンバ１２は、上部２０と下部２２とを含み得る。シンガス投入点１４は、上部１８に配置され、一方、シンガス放出点１６は、チャンバ１２の下部２２に配置される。
【００６０】
上側部分２０は第１のチャンバと見なされ、下部分２２は第２のチャンバと見なされ得る。
【００６１】
上部１８は、部分酸化ゾーン（以下、ＰＯＸと称されることがある）と呼称されることがある。シンガスは、接線方向にチャンバ１２の上部に投入される。未処理シンガスの高速の投入及びチャンバ１２の寸法により、ＰＯＸは強い渦巻き状の乱流を含む。乱流及び渦流を促進するために、酸素がチャンバ１２内に注入され得る。そのような構成は、未処理シンガスの混合及び滞留時間を向上させる。酸素注入に関する詳細は以下に記載される。
【００６２】
上部及び下部２０、２２は、縮径頸部３０などの接続部（界面／interface）によって接続されてもよい。縮径頸部３０は、混合が促進され、次いで（渦流運動を中断することによって）ガス速度を減速させて固体が流れから排出システム３４へと離脱するようにする機能を有する。
【００６３】
この構成はまた、チャンバ１２内に酸素を導入して少量のシンガスの自己着火を引き起こすためのシステム４０を含み得る。この反応は、チャンバ１２内の温度を上昇させる効率果を有する。所望の温度は、少なくとも部分的に、チャンバ１２への酸素の流れを制御することによって達成可能である。図２は、そのようなシステムを備える反応器１０の実施例を示す。
【００６４】
したがって、一実施形態では、酸素又は酸素／蒸気混合物を注入して段階的に温度を上昇させるために酸素注入システム４０と連携するための投入点１８が反応器１０に設けられる。
【００６５】
酸素注入システム４０は、炭化物系材料から製造された多環式配置からなる１つ又は複数の注入ノズル４２を含み得る。ノズル４２は、酸化剤注入から生じる拡散炎がノズル面からオフセットされるように構築される。
【００６６】
酸素注入システムが少なくとも３つのノズルを露出させることが特に好ましい。シンガス投入点１４、及び複数の酸素注入ノズル４２を上部２０（第１のチャンバ）の周囲のらせん状又は渦巻状の経路上に設けることによって、ＰＯＸ内で乱流及び渦流が促進される。
【００６７】
図４は、シンガス投入点１４及び複数の酸素注入ノズル４２の位置の例を示す反応器の上面図を示す。反応器が原位置にある場合、シンガス投入点１４は実質的に第１のチャンバの頂部にあり、複数の酸素注入ノズルは（シンガス投入点１４を基点として時計回りに見て）次第に低くなるため、シンガス投入点１４と複数の酸素注入ノズルとによってらせん経路が画定される。
【００６８】
使用時には、酸素注入ノズル４２は高温で動作する。灰のなどの固形物が投入された原料シンガス中に存在する場合、灰が高温のノズル先端と接触して溶融すると、従来の注入ノズルはファウリング（汚染）を受け得る。ノズルは、酸素と共に、又は周囲の環状ジャケットを通して蒸気の同時注入を可能にする。この構成は、ノズルのファウリングを軽減し、さらに有利には投入された廃棄物の処理済シンガスへのより良好な全体的変換をもたらす。ノズルはまた、処理の有効性を高める無炎酸化を可能にするように、予熱された酸化剤との併用を可能にする。
【００６９】
酸素注入ノズル４２は各々、セラミック被覆ランセットを含み得る。各ノズル４２は、耐用年数を延ばすために窒素又は蒸気で冷却され得る。各ノズル４２は周囲シュラウドを含み得る。好ましい構成では、ランセットは、交換可能なノズル部で終端するセラミック被覆管である。ノズルは、カーバイド系セラミック又は耐熱合金から構築され、メンテナンス目的でランセットから取り外し可能である。
【００７０】
酸素供給アセンブリ４０全体が反応器１０から分離され得る。これにより、メンテナンスのためのより容易なアクセスが可能になる。
【００７１】
使用時に、それによって酸素が流れる工学的パターンで、各ノズルに幾つかの発射（ファイアリング）ポートが穿孔され得る。
【００７２】
反応器２０のための所望の温度分布は事前に計算され得る。チャンバ１２内への酸素流量は、ブードア反応を介した汚染物質（ナフタレン、ベンゼン及び煤塵など）の高い変換効率のための温度と滞留時間との所望の組み合わせを提供する反応器１０内の温度分布を達成するように流量を測定する制御弁によって制御される。
【００７３】
各ノズル４２の幾何的構造（幾何的形状）は、火炎の過度のリフトオフ（浮き上がり）を許すことなく、十分な酸素流出速度及び表面保護を可能にするように構成される。ある程度の火炎のリフトオフは、ノズル先端部の寿命を改善するので望ましい場合がある。フレームアレスタが設けられてもよい。酸素注入システム４０への酸素供給ラインに爆発防止も設けてもよい。
【００７４】
ノズル周辺の温度は熱電対を使用して測定される。熱電対はノズルに埋め込まれ得る。しかし、熱電対はノズルに近接した任意の位置に配置され得る。熱電対は、少なくとも部分的に、（窒素又は蒸気などの）冷却媒体の流量を制御するように動作可能である。
【００７５】
酸素注入の結果として生じる火炎は拡散火炎であり、したがって、迅速な混合を確実にするためにチャンバ１２の上部の高乱流が必要である。通常動作でのチャンバ１２への流速は、好ましくは０．１〜０．２Ｋｇ／ｓである。ノズル４２の後の中間領域内の（火炎温度を称されることがある）温度は３０００℃を超えることがある。
【００７６】
酸素注入ノズル４２の近傍のゾーン内のシンガスは、水素と酸素との燃焼により高温になる。これらのゾーンの高温ガスは、より低温のガスと急速に混ざり合い、流れのバルク温度（混合平均温度）を上昇させる。これらの局所的なゾーンに存在する灰は溶解するので、スラグ化の可能性が高い。これは反応器１０の効率に有害な影響を及ぼすため、ノズルチップでのスラグ化の軽減が有利である。以下の好ましい特徴は、酸素注入システム４０の性能を個々に、かつ集合的に高める。
【００７７】
反応器１０は複数の酸素注入点１８を含む。注入点は酸素注入システム４０からのノズルを受容する。一般的には３つの点があるが任意の数を設け得る。ノズルを上部チャンバ２０上のらせん経路に沿って設けることが望ましい。複数の注入点は、酸素添加、ひいては温度上昇が段階的であり、局所温度が灰の溶解温度より数百度高いゾーンにならないことを確実にする。したがって、絶対量で実際に溶解する灰の総量は限られている。チャンバ１２内の温度の一貫性は、温度上昇を低減するために酸素と共に蒸気注入を使用することによっても支援される。
【００７８】
酸素と共に水蒸気を添加することにより、注入された噴射の速度を高速に維持することが可能になる。反応器内での酸素とのシンガスの燃焼は拡散火炎として発生するので、高速度は火炎がノズル４２から常に「リフトオフ」することを確実にする。ノズルの周囲のチャンバ１２内への蒸気の注入は、ノズル表面近くの温度がブルク温度より数百度低いことを確実にする。蒸気注入は、「リフトオフ」が一貫して達成されることを確実にするように調整される。
【００７９】
高温火炎ゾーンがノズル表面から遠ざけられるリフトオフ効果と同様、酸素注入ノズル４２は再循環ゾーンを回避するように構成される。これは、局所的に溶融されたスラグがこれらのゾーンに蓄積して堆積物を成長させないようにするために行われる。
【００８０】
各ノズル４２は反応器１０に進退自在に取り付けられ得る。したがって、メンテナンスのための停止中、各ノズル４２はより迅速に、かつより確実な方法で整備され得る。
【００８１】
図２は、シンガス入口１４及びシンガス出口１６を有する反応器１０を示す（上部２０と下部２２との間の接続部３０は示されていない）。熱交換器５０がさらに備えられる。熱交換器は、供給源Ａからシンガスを受容し、それを反応器１０に送るように動作可能である。加えて、熱交換器５０はまた、チャンバ１２から処理済シンガスを受容し、それを行先Ｂに送るように動作可能である。この構成は、原料シンガスが既存のシンガスによって予熱されることを可能にし、かつ必然的な結果として、処理済シンガスが、流入するシンガスによって冷却されることを可能にするという点で有利である。
【００８２】
シンガス処理の重要な態様は、反応器１０内の固形物、例えば煤塵や灰を管理する（取り扱う）ことである。原料シンガス中の固形物のレベルは未知である場合がある。したがって、様々なレベルの固形分を有する投入材料を処理することができる構成を提供することが望ましい。
【００８３】
高温チャンバ内の固体に対処する能力は、例えば廃棄物から生成されたシンガスの燃焼用に多数の廃棄物−エネルギ技術で利用されるような、灰が混入したシンガス流の燃焼用に設計された構成においてよく知られている。
【００８４】
固体の管理を必要とする他の構成は石炭のガス化である。これらの構成は、灰がチャンバから除去され得るように灰が完全に液体スラグ状態になるのに十分に高い温度に依存する。スラグの流動挙動を改善するために、一般的に石炭及びケイ砂などの添加物が添加される。十分なエネルギが利用できない場合は、温度を上げるために天然ガスが補給され得る。
【００８５】
本構成では、シンガスがガス化処理を使用して燃料源から導出される場合、チャンバ１２に流入する原料シンガスは一般に、煤塵などの固体を含有する。使用される燃料源に応じて、固体は未溶融、部分溶融、又はさまざまな粘度の完全液体であり得る。固体を処理する既知の方法は現在の構成には適切ではない。
【００８６】
固体は、反応器１０、又は反応器１０を含むシステム内の装置内で閉塞を引き起こす可能性がある。したがって、反応器１０を通る投入ガスのための閉塞されていない流路を確保することが重要である。加えて、固体が、それらの融点に関わりなく、ガスとともに通過物として、又は排出システム３４を使用して除去され得るように、反応器は、（通常、「ドライモード」及び「ウェットモード」と称され、以下に詳細に記載される）複数のモードで操作され得る。以下で、排出システム３４は、特に図３ａ及び図３ｂに関連して以下にさらに説明される。
【００８７】
本実施形態は、組成及び物理的状態（固体、部分的に溶融／軟化した液体固体混合物、完全に溶融した液体）に関係なく固形分を管理するように動作可能である。図１ａ及び図１ｂに示されるように、反応器１０は、バルクガス混合物の平衡接近に必要な温度動作範囲内で可能なあらゆる状態の固体を効果的に通過させるように形成されている。
【００８８】
反応器の形状はシンガスからの固体汚染物質の除去を助ける。具体的には、反応器１０は、第１のチャンバ２０と第２のチャンバ２２と、それらの間の接続部３０とを含む。第１のチャンバ内に複数の流体を注入して、前記流体を混合し反応させて乱流を形成させるための手段がさらに提供される。接続部３０は、第２のチャンバ２２内への急速な膨張を可能にすることによって乱流が離脱するように動作可能である。
【００８９】
接続部３０は、減速頸部３０を含み得る。これは、典型的には、第１及び第２のチャンバ２０、２２に対して断面積が縮小された部分である。
【００９０】
第１のチャンバ２０はＰＯＸを含む。シンガスは高温で処理され、かつ高速である。第１のチャンバ２０内の流体速度は典型的には６ｍｓ−１である。この時点で固体汚染物質は典型的には、高速シンガス中に浮遊する。シンガスが縮径頸部３０に到達すると、乱流は解除され、第２のチャンバ２２内への急速な膨張のため、０．４ｍｓ−１未満までかなり遅くなる。この作用により、固体がシンガスから落下して第２チャンバ２２の底部の排出システム３４内に集められる。
【００９１】
又は、言い換えれば、処理ガスは、乱流が離脱される接続部３０を通って移動する。この機構は、シンガスと任意の含有固体汚染物質の解離を可能にする。
【００９２】
１）ファウリングの傾向が低い（粘着性ではない）完全な非溶融の固体灰、又は２）反応器の壁に沿ってスラグとして排出システムに流れる完全に溶融した灰のいずれかである全固体負荷の管理は、比較的制御可能である。しかし、ほとんどプロセスにおいて、固体は両方の状態の一部を含むであろう。典型的なプロセスは、固体が反応器１０の壁に沿って流れるレオロジーを有さず、それに固着するのに十分に粘性であるような温度で動作される。
【００９３】
収着剤媒体は、反応器１０への導入前にシンガスに添加され得る。この収着剤媒体は、灰よりも高い融点を有し、従って灰のバルク溶融特性を増大させる。収着剤媒体は反応器１０内での固体の滞留を防止する。この配置のさらなる詳細は以下に記載される。
【００９４】
反応器１０は、二次床フィード注入システム２２及び温度制御システム（図示せず）をさらに含み得る。二次床フィードは、典型的には、チャンバ１２に供給される研磨媒体である。この研磨媒体は、入口ダクト内の投入位置を介して反応器へ、又は蒸気などの搬送媒体と共に酸素注入ランセット４２を介してチャンバ内に導入され得る。
【００９５】
（ＳＢＦと称されることがある）二次床フィードはまた、凝縮又は溶融画分が核形成及び堆積し得る高表面積を有する収着剤としても作用し、灰がチャンバ１２の内面に堆積することを防止する。典型的には、ＳＢＦから得られる表面積は内部処理表面よりも２０００〜４０００％多く、ＳＢＦ上への堆積の可能性は表面上への堆積の可能性よりもはるかに高い。
【００９６】
ＳＢＦ媒体は、チャンバ１２内の反応を向上させ、かつ／又はファウリングを抑制するのに役立つ灰分改質剤又は触媒であり得る。
【００９７】
図３ａを参照すると、反応器１０は、二次床フィード媒体を導入するためのダクト又は入口、並びに二次ベッド媒体及び収集された固体を放出するための第２のダクト又は出口を含む。二次床フィードシステム２２は、蒸気フィード、窒素フィード及び二次ベッド媒体フィードが投入され得るロックホッパ３６を含む。各供給（フィード）原料は、反応器１０と係合する入口ダクトに送られる。
【００９８】
二次床フィード媒体を導入するためのダクト又は入口は、シンガス投入点１４、及び複数の酸素注入ノズル４２のうちの１つ以上であり得る。しかし、専用の投入部も考えられる。
【００９９】
さらなる二次ベッド媒体フィード５０が提供され得る。
【０１００】
第３のＳＢＦシステム５２が出口ダクトに設けられ得る。
【０１０１】
ＳＢＦ注入点は、ファウリング傾向を軽減するように配置され得る。
【０１０２】
図３ｂは入口ダクトの拡大概略図を示す。ダクトは、二次ベッド媒体が反応器１０に導入される前に静的ミキサ５４を含み得る。静的ミキサ５４は、典型的には、炭化ケイ素から製造される。ミキサは、反応器１０に導入される媒体の混合を促進するように動作可能である。
【０１０３】
反応器１０は２つのモードで動作され得る。第一のモードは、固体が未溶融又は部分溶融されるドライモードであり、第二のモードは、固体が完全な流動スラグである場合のウエットモードである。二次床フィード２２は、通常動作でのドライモードでもウエット循環モードでも反応器１０と共に機能し得る。
【０１０４】
ドライモードでは、典型的には、アルミナ系媒体からなる研磨媒体が流れに注入され得る。タールク分解の最適温度範囲は１０５０℃〜１１００℃である。これは反応器１０の所望の動作パラメーターと相関し、したがって、固体は、典型的には、主として未溶融状態であろう。したがって、反応器１０は通常はドライモードで機能するであろう。
【０１０５】
反応器排出システム３４は、反応器１０から除去された固体を受容するように動作可能な砂浴からなり、冷却された排出スクリューを使用してそれらを徐々に除去する。砂浴は、温度制御のため、また受容された固形物又はスラグが確実に凝集して搬出されるように、小流動化流に保たれる。流動化流の流速は、凝集体の寸法を変えるために変更され得る。
【０１０６】
好ましい構成では、蒸気が反応器排出システム３４に注入され得る。反応器排出システム３４に集められた固体は、通常は炭素が豊富であり、蒸気と反応して水素、一酸化炭素及び二酸化炭素を生成する。
【０１０７】
ＳＢＦを注入することのさらなる利点は、少なくとも第１のチャンバ２０の内部洗浄である。第１のチャンバ２０内の流速は典型的には６ｍｓ−１を超える。したがって、ＳＢＦ媒体（収着剤媒体）は研磨媒体として作用し、堆積物を侵食することによって個体の蓄積を防止する。この処理はサンドブラスト処理に類似していると考えられる。さらに、ＳＢＦ媒体が構造中に存在する結果として形成される任意の堆積物はより脆い。
【０１０８】
ウエット循環法は、堆積したスラグが溶融して反応器底部に流入することができるように、反応器１０の動作温度を一時的に１２５０℃以上に上昇させるように設計されている。これは３０００時間間隔で１回必要とされ、灰生成物の量と特性に応じて、約６時間実行されると予測される。
【０１０９】
ウエット循環は、より高い生産量を達成するためにより多くのシンガスを燃焼させる酸素要求量の増加を必要とする。この処理は、天然ガスなどのＰＯＸチャンバに注入される補助燃料を補給することによって効率化され得る。反応炉の急冷は、このモードで下流のＳＢＦがフライスラグ（飛散スラグ）のチャンバ１２への進入を制御して行われる。スラグは砂浴に排出され、次いで反応器から抜き出される。
【０１１０】
臨界ゾーンにおける堆積物形成の可視化を可能にするため、冷却プロセスカメラ２６が反応器１０に取り付けられ得る。
【０１１１】
本発明は上記の実施形態によって限定されるべきではなく、多くの変形形態が添付の特許請求の範囲の範囲内にあることが理解されよう。
【０１１２】
さらに、本構成は、極めて多様なガスを受容し、それを有用な品質に規格化する能力を反応器にもたらし、好ましい構成では、ガス自体からのエネルギを利用して動作温度を確実に上昇させ、複数の状態で固体を処理する能力を持ちつつ、良好な混合と高い変換を確実にする。
【０１１３】
シンガスを約１２００℃に加熱し、それを所定の滞留時間にわたってこの温度に保持するように動作可能な反応器１０が提供されることがさらに理解されるであろう。この組み合わせは、シンガス中のタールを高効率で分解する。この温度は、ある割合のガスを局所的に自己着火させる酸素の注入によって達成される。
【０１１４】
反応器１０はシンガスから飛灰も除去するように設計されている。チャンバ１２の流体力学的設計により、材料の流れとチャンバの壁との間の接触時間が必然的に長くなる。この構成は、飛灰がチャンバ１２に付着することを許容する。システムは、制御された方法で飛灰を周期的に排出する。
【図１Ａ】
2019523812.tif 000003
【図１Ｂ】
2019523812.tif 000004
【図２】
2019523812.tif 000005
【図３Ａ】
2019523812.tif 000006
【図３Ｂ】
2019523812.tif 000007
【図４】
2019523812.tif 000008
【国際調査報告】
2019523812.tif 000009
2019523812.tif 000010
2019523812.tif 000011
2019523812.tif 000012
2019523812.tif 000013
2019523812.tif 000014